(57)【要約】      （修正有）【課題】再生専用の情報記録層を有していても情報を記録することが可能で、かつ従来の記録再生装置には情報を記録させない光ディスクと、その光ディスクに情報を記録することができる記録装置及び記録方法とを提供する。【解決手段】光ディスク１は、上面にグルーブ３が形成されている第１の基板２と、第１の基板２の上に設けられている第１の情報記録層４と、第１の情報記録層４の上に設けられており、上面にピット列７が形成されている第２の基板６と、第２の基板６の上に設けられている第２の情報記録層８とを備え、第１の情報記録層４は、第１の情報記録層４が再生専用の層であることを示す情報を有しており、第２の情報記録層８は、第１の情報記録層４が情報を記録することが可能であることを示す情報を有している。【選択図】図１
2010250894.tif 000002
【特許請求の範囲】
【請求項１】
上面にグルーブが形成されている第１の基板と、
前記第１の基板の上に設けられている第１の情報記録層と、
前記第１の情報記録層の上に設けられており、上面にピット列が形成されている第２の基板と、
前記第２の基板の上に設けられている第２の情報記録層とを備え、
前記第１の情報記録層は、前記第１の情報記録層が再生専用の層であることを示す情報を有しており、
前記第２の情報記録層は、前記第１の情報記録層が情報を記録することが可能であることを示す情報を有している
光ディスク。
【請求項２】
第１の情報を取得する取得部と、
第１の情報記録層と第２の情報記録層とを有する光ディスクから、前記第１の情報記録層が前記第１の情報を記録することが可能であることを示す第２の情報が前記第２の情報記録層に存在するか否かを判断する判断部と、
前記第１の情報記録層が前記第１の情報を記録することが可能であることを示す前記第２の情報が前記第２の情報記録層に存在すると前記判断部が判断した場合、前記取得部によって取得された前記第１の情報を前記第１の情報記録層に記録する記録部と
を備える記録装置。
【請求項３】
第１の情報を取得するステップと、
第１の情報記録層と第２の情報記録層とを有する光ディスクから、前記第１の情報記録層が前記第１の情報を記録することが可能であることを示す第２の情報が前記第２の情報記録層に存在するか否かを判断するステップと、
前記第１の情報記録層が前記第１の情報を記録することが可能であることを示す前記第２の情報が前記第２の情報記録層に存在すると判断した場合、取得した前記第１の情報を前記第１の情報記録層に記録するステップと
を含む記録方法。
【発明の詳細な説明】
【技術分野】
【０００１】
本発明は、複数の情報記録層を有する光ディスクと、その光ディスクへの情報の記録方法とに関する。
【背景技術】
【０００２】
薄型大画面テレビの普及やマルチメディアの興隆等に伴い、デジタル動画像のような大容量の情報を取り扱うことが増えてきており、光ディスクの大容量化に対する要求が大きくなってきている。現在では、６５０ＭＢ（メガバイト）程度の容量を有するＣＤ（Ｃｏｍｐａｃｔ  Ｄｉｓｃ）や、４．７ＧＢ（ギガバイト）程度の容量を有するＤＶＤ（Ｄｉｇｉｔａｌ  Ｖｅｒｓａｔｉｌｅ  Ｄｉｓｃ）に加えて、２５ＧＢ程度の容量を有するＢＤ−ＲＯＭ（Ｂｌｕ−ｒａｙ−Ｄｉｓｃ  Ｒｅａｄ  Ｏｎｌｙ  Ｍｅｍｏｒｙ）が商品化されている。更に、１個の情報記録層を有する１層ＢＤ−ＲＯＭのみならず、１層ＢＤ−ＲＯＭの２倍の容量（５０ＧＢ程度）を持つ、積層された２個の情報記録層を有する２層ＢＤ−ＲＯＭも商品化されている。
【０００３】
また、ＢＤ／ＤＶＤハイブリッドディスクが特許文献１により開示されている。ＢＤ／ＤＶＤハイブリッドディスクは、相対的に低密度なＤＶＤ−ＲＯＭの情報記録層の上に相対的に高密度なＢＤ−ＲＯＭの情報記録層が積層された光ディスクである。標準解像度（ＳＤ：Ｓｔａｎｄａｒｄ−ｄｅｆｉｎｉｔｉｏｎ）の動画像をＤＶＤ−ＲＯＭの情報記録層に記録し、同じ内容の高解像度（ＨＤ：Ｈｉｇｈ−ｄｅｆｉｎｉｔｉｏｎ）の動画像をＢＤ−ＲＯＭの情報記録層に記録してＢＤ／ＤＶＤハイブリッドディスクを配布すれば、１枚の光ディスクでＨＤの動画像とＳＤの動画像とを提供できることになる。
【０００４】
ところで、非特許文献１によると、ＢＤ−Ｊ（Ｂｌｕ−ｒａｙ−Ｄｉｓｃ  Ｊａｖａ（登録商標））又は「Blu-ray Disc Profile 2.0（BD-LIVE）」と呼ばれるインターネットを利用した様々なサービスが検討されている。例えば、ＢＤ−ＲＯＭに記録されている映画が製作された後のその映画に関するサービス情報のインターネットによる配信が検討されている。サービス情報の具体例は、映画の続編の予告編、それに関するインターネットでの口コミ情報、ＢＤ−ＲＯＭに記録されている言語以外の言語の字幕、出演している俳優の情報、及びロケ現場の近況等である。
【先行技術文献】
【特許文献】
【０００５】
【特許文献１】特開２００７−１８４０４３号公報
【特許文献２】特開２００６−２０９９３５号公報
【非特許文献】
【０００６】
【非特許文献１】図解ブルーレイディスク読本  オーム社  ２００６年
【発明の概要】
【発明が解決しようとする課題】
【０００７】
再生専用の光ディスクにはインターネットを介して得られるサービス情報を記録することができないので、サービス情報は、インターネットに接続されている機器でしか利用することができない。しかしながら、インターネットに接続されていない機器でも、インターネットを介して配信されるサービス情報を利用したいとユーザから要求されることが予想される。
【０００８】
その要求には、情報を記録することができるＤＶＤ（記録可能ＤＶＤ）の上にＢＤ−ＲＯＭを積層したハイブリッドディスクを用いることにより対応することができるが、従来のＤＶＤ記録再生装置は、記録可能ＤＶＤに情報を記録することができる。そのため、記録可能ＤＶＤにサービス情報を記録した後、従来のＤＶＤ記録再生装置によってサービス情報が別の情報に上書きされて、サービス情報が消去される可能性がでてくる。
【０００９】
ユーザは、再生専用の情報記録層を有していても情報を記録することが可能であって、かつ従来の記録再生装置には情報を記録させない光ディスクが提供されることを希望する。また、ユーザは、そのような光ディスクに情報を記録する記録装置が提供されることも希望する。
【００１０】
本発明は、再生専用の情報記録層を有していても情報を記録することが可能であって、かつ従来の記録再生装置には情報を記録させない光ディスクと、その光ディスクに情報を記録することができる記録装置及び記録方法とを提供することを目的とする。
【課題を解決するための手段】
【００１１】
上記課題を解決し上記目的を達成するために、本発明の光ディスクは、上面にグルーブが形成されている第１の基板と、前記第１の基板の上に設けられている第１の情報記録層と、前記第１の情報記録層の上に設けられており、上面にピット列が形成されている第２の基板と、前記第２の基板の上に設けられている第２の情報記録層とを備え、前記第１の情報記録層は、前記第１の情報記録層が再生専用の層であることを示す情報を有しており、前記第２の情報記録層は、前記第１の情報記録層が情報を記録することが可能であることを示す情報を有している。
【００１２】
本発明の記録装置は、第１の情報を取得する取得部と、第１の情報記録層と第２の情報記録層とを有する光ディスクから、前記第１の情報記録層が前記第１の情報を記録することが可能であることを示す第２の情報が前記第２の情報記録層に存在するか否かを判断する判断部と、前記第１の情報記録層が前記第１の情報を記録することが可能であることを示す前記第２の情報が前記第２の情報記録層に存在すると前記判断部が判断した場合、前記取得部によって取得された前記第１の情報を前記第１の情報記録層に記録する記録部とを備える。
【００１３】
本発明の記録方法は、第１の情報を取得するステップと、第１の情報記録層と第２の情報記録層とを有する光ディスクから、前記第１の情報記録層が前記第１の情報を記録することが可能であることを示す第２の情報が前記第２の情報記録層に存在するか否かを判断するステップと、前記第１の情報記録層が前記第１の情報を記録することが可能であることを示す前記第２の情報が前記第２の情報記録層に存在すると判断した場合、取得した前記第１の情報を前記第１の情報記録層に記録するステップとを含む。
【発明の効果】
【００１４】
本発明は、再生専用の情報記録層を有していても情報を記録することが可能であって、かつ従来の記録再生装置には情報を記録させない光ディスクと、その光ディスクに情報を記録することができる記録装置及び記録方法とを提供する。
【図面の簡単な説明】
【００１５】
【図１】本実施の形態の光ディスクの断面の概略図である。
【図２】第１の情報記録層を詳細に説明するための本実施の形態の光ディスクの断面図である。
【図３】再生専用フラグ及び記録可能フラグが設けられている部位を説明するための図である。
【図４】本実施の形態の記録再生装置の構成図である。
【図５】本実施の形態の記録再生装置の動作の各ステップを示すフローチャートである。
【図６】本実施の形態の光ディスクの製造方法を説明するための図である。
【図７】実施例２の光ディスクの断面図である。
【発明を実施するための形態】
【００１６】
以下に、本発明を実施するための形態を図面を参照して説明する。
【００１７】
先ず、本実施の形態の光ディスク１の構成を図１及び図２を用いて説明する。図１は、本実施の形態の光ディスク１の断面の概略図である。図２は、本実施の形態の光ディスク１を構成する第１の情報記録層４を詳細に説明するための本実施の形態の光ディスク１の断面図である。
【００１８】
図１及び図２に示すように、本実施の形態の光ディスク１は、第１の基板２と、第１の基板２の上に設けられている第１の情報記録層４と、第１の情報記録層４の上に設けられている接着層５と、接着層５の上に設けられている第２の基板６と、第２の基板６の上に設けられている第２の情報記録層８と、第２の情報記録層８の上に設けられている保護層９とを有する。
【００１９】
第１の基板２及び第１の情報記録層４は、ＤＶＤ規格に準拠した、情報を記録することができるディスク（以下、「記録可能ディスク」という。）に対応する。第２の基板６及び第２の情報記録層８は、ＢＤ−ＲＯＭに対応する。
【００２０】
第１の基板２は、ポリカーボネートにより形成されており、その直径は１２０ｍｍであって、厚みは０．６ｍｍである。第１の基板２の上面には、内周から外周に向かう０．７４μｍピッチのらせん状のグルーブ３が形成されている。グルーブ３は、ＤＶＤ規格に準拠しており、プリアドレスを有している。
【００２１】
第１の情報記録層４は、第１の基板２の上面に設けられる、ＤＶＤ用のレーザ光Ｌｒを反射する層である。第１の情報記録層４は、第１の情報記録層４が再生専用の層であることを示す情報、例えば再生専用フラグを有している。図２に示すように、第１の情報記録層４は、反射膜４１と、第１誘電体膜４２と、相変化記録膜４３と、第２誘電体膜４４とを有し、それらは第１の基板２の上に順次スパッタリングすることにより積層される。例えば、反射膜４１はＡｇにより形成され、第１誘電体膜４２はＺｎＳ−ＳｉＯ２により形成され、相変化記録膜４３はカルコゲナイド系ＧｅＡｇＩｎＳｂＴｅにより形成され、第２誘電体膜４４はＺｎＳ−ＳｉＯ２により形成される。なお、再生専用フラグについては、図３を用いて後に再度説明する。
【００２２】
接着層５は、第１の情報記録層４と第２の基板６とを接着させる層である。
【００２３】
第２の基板６は、ＢＤ−ＲＯＭ規格に準拠した基板であって、その直径は１２０ｍｍであり、厚みは０．４ｍｍから０．５ｍｍである。第２の基板６の上面には、内周から外周に向けて０．３２μｍのピッチのＢＤ−ＲＯＭ規格に準拠したピット列７が形成されている。
【００２４】
第２の情報記録層８は、ＤＶＤ用のレーザ光Ｌｒを透過するとともに、ＢＤ用のレーザ光Ｌｂを反射する層であって、第１の情報記録層４が情報を記録することが可能であることを示す情報、例えば記録可能フラグを有している。第２の情報記録層８は、例えば、誘電体多層膜によって形成され、その厚みは、ＤＶＤ用のレーザ光Ｌｒに対する透過率が５０％以上となり、ＢＤ用のレーザ光Ｌｂを十分に反射するように設計される。なお、記録可能フラグについては、図３を用いて後に再度説明する。
【００２５】
保護層９は、紫外線硬化樹脂又はポリカーボネートのシート等の層であって、その厚みは、ＤＶＤ用のレーザ光Ｌｒ及びＢＤ用のレーザ光Ｌｂを８０％以上透過するように決定される。
【００２６】
図１に示すように、第１の情報記録層４への情報の記録は、ＮＡ（開口数）０．６又は０．６５のＤＶＤ用対物レンズＸｒを用いてＤＶＤ用のレーザ光Ｌｒを第１の情報記録層４に集めることにより行われる。第１の情報記録層４に記録された情報は、ＤＶＤ用対物レンズＸｒによりＤＶＤ用のレーザ光Ｌｒを第１の情報記録層４に集めてその反射光を処理することにより再生される。第２の情報記録層８に記録されている情報は、ＮＡ０．８５のＢＤ用対物レンズＸｂによりＢＤ用のレーザ光Ｌｂを第２の情報記録層８に集めてその反射光を処理することにより再生される。
【００２７】
なお、第２の情報記録層８は、Ｓｉ、又は、Ｓｉと酸素、窒素、炭素、若しくは水素等とで構成される化合物といった単一の材料により形成されてもよい。第２の情報記録層８を単一の材料により形成すると、製造コストを抑えることができる。
【００２８】
また、第１の基板２及び第１の情報記録層４は、ＤＶＤ−Ｒ、ＤＶＤ−ＲＷ、ＤＶＤ＋Ｒ、又はＤＶＤ＋ＲＷ、又はＤＶＤ−ＲＡＭであってもよい。要するに、第１の基板２及び第１の情報記録層４は、ＤＶＤ規格に準拠した記録可能ディスクに対応するものであればよい。
【００２９】
次に、再生専用フラグ及び記録可能フラグを図３を用いて説明する。図３は、再生専用フラグ及び記録可能フラグが設けられている部位を説明するための図であって、本実施の形態の光ディスク１の第１の情報記録層４及び第２の情報記録層８の断面を示す図である。なお、図３には、光ディスク１の内周側を示す矢印Ｐと外周側を示す矢印Ｑとが表示されている。
【００３０】
第１の情報記録層４は、図３に示すように、矢印Ｐにより示される光ディスク１の内周側から矢印Ｑにより示される外周側に順に、パワーキャリブレーションゾーン２１と、管理ゾーン２２と、第１リードインゾーン２３と、第１データ記録ゾーン２４と、第１リードアウタゾーン２５とを有する。
【００３１】
パワーキャリブレーションゾーン２１は、パワーキャリブレーションを実行するためのゾーンであり、管理ゾーン２２は、第１データ記録ゾーン２４における情報の記録状況を管理するためのゾーンである。第１リードインゾーン２３は、第１の情報記録層４が再生専用の層であることを示す再生専用フラグが設けられているゾーンである。再生専用フラグは、第１の情報記録層４への情報の記録を禁止するためのフラグであると定義することもできる。第１データ記録ゾーン２４は情報が記録されるゾーンであり、第１リードアウタゾーン２５はそれが光ディスクの外周部であることを示すゾーンである。
【００３２】
第２の情報記録層８は、図３に示すように、矢印Ｐにより示される光ディスク１の内周側から矢印Ｑにより示される外周側に順に、第２リードインゾーン６１と、第２データ記録ゾーン６２と、第２リードアウタゾーン６３とを有する。
【００３３】
第２リードインゾーン６１は、第１の情報記録層４が情報を記録することが可能であることを示す記録可能フラグが設けられているゾーンである。また、第２リードインゾーン６１には、光ディスク１が第１の情報記録層４を有することを示す情報と、第１の情報記録層４への情報の記録条件等とが記録されている。第２データ記録ゾーン６２は情報が記録されるゾーンであり、第２リードアウタゾーン６３は、それが光ディスクの外周部であることを示すゾーンである。
【００３４】
上述したように、本実施の形態の光ディスク１は、ＤＶＤ規格に準拠した記録可能ディスクに対応する第１の情報記録層４と、第１の情報記録層４の上に設けられている、情報が予め記録されており再生専用のＢＤ−ＲＯＭに対応する第２の情報記録層８とを有する。そして、第１の情報記録層４には再生専用フラグが設けられており、第２の情報記録層８には記録可能フラグが設けられている。
【００３５】
したがって、従来のＤＶＤ記録再生装置は、本実施の形態の光ディスク１が内部に挿入されても、再生専用フラグが第１の情報記録層４に設けられているので、第１の情報記録層４が現実には情報を記録することができる層であっても、第１の情報記録層４への情報の記録を行わない。すなわち、従来のＤＶＤ記録再生装置は、再生専用フラグが第１の情報記録層４に設けられているので、第１の情報記録層４がＲＯＭであると判断し、第１の情報記録層４に記録されている情報を再生するのみである。
【００３６】
次に、本実施の形態の光ディスク１の第１の情報記録層４に情報を記録する本実施の形態の記録再生装置７０を図４を用いて説明する。
【００３７】
先ず、本実施の形態の記録再生装置７０の構成を図４を用いて説明する。図４は、本実施の形態の記録再生装置７０の構成図である。本実施の形態の記録再生装置７０は、図４に示すように、取得部７１と、判断部７２と、記録部７３と、ＢＤ再生部７４と、ＤＶＤ再生部７５とを有する。
【００３８】
取得部７１は、インターネットを介して情報を取得する。判断部７２は、２個の情報記録層が積層されている光ディスクの上側の情報記録層に記録可能フラグが存在しているか否かを判断する。記録部７３は、２個の情報記録層が積層されている光ディスクの下側の情報記録層に情報を記録する。ＢＤ再生部７４はＢＤ−ＲＯＭに対応する情報記録層を再生する。ＤＶＤ再生部７５は、ＤＶＤ規格に準拠した記録可能ディスクに対応する情報記録層を再生する。
【００３９】
次に、本実施の形態の記録再生装置７０の動作を図５を用いて説明する。図５は、本実施の形態の記録再生装置７０の動作の各ステップを示すフローチャートである。
【００４０】
光ディスクが記録再生装置７０に挿入されると、判断部７２は、ＢＤ再生部７４を動作させてＢＤ−ＲＯＭに対応する情報記録層から情報を取得し、挿入された光ディスクがＢＤ−ＲＯＭに対応する情報記録層の下（奥）にＤＶＤに対応する情報記録層をも有することを示す情報がＢＤ−ＲＯＭに対応する情報記録層に存在するか否かを判断する（Ｓ１）。その光ディスクが下側の情報記録層を有することを示す情報が存在していない場合（Ｓ１でＮｏ）、ＢＤ再生部７４は、ＢＤ−ＲＯＭに対応する情報記録層に記録されている情報を再生し（Ｓ２）、本実施の形態の記録再生装置７０の動作は終了する。
【００４１】
他方、光ディスクが下側の情報記録層を有することを示す情報が存在する場合（Ｓ１でＹｅｓ）、判断部７２は、上側のＢＤ−ＲＯＭに対応する情報記録層に記録可能フラグが存在しているか否かを判断する（Ｓ３）。記録可能フラグが存在していない場合（Ｓ３でＮｏ）、ＢＤ再生部７４は、上側の情報記録層に記録されている情報を再生し（Ｓ２）、本実施の形態の記録再生装置７０の動作は終了する。
【００４２】
それに対し、上側の情報記録層に記録可能フラグが存在している場合（Ｓ３でＹｅｓ）、ＢＤ再生部７４は、上側の情報記録層に記録されている下側の情報記録層の記録条件を再生し、ＤＶＤ再生部７５は、下側の情報記録層の管理ゾーンの情報を再生する。そして、記録部７３は、記録条件と第１データ記録ゾーンにおける情報の記録状況とを取得してパワーキャリブレーションを実行する（Ｓ４）。取得部７１は、インターネットを介して情報を取得し（Ｓ５）、記録部７３は、取得部７１によって取得された情報を下側の情報記録層の第１データ記録ゾーンに記録する（Ｓ６）。
【００４３】
本実施の形態の記録再生装置７０に挿入される光ディスクが本実施の形態の光ディスク１であれば、光ディスク１は、上側の情報記録層である第２の情報記録層８に記録可能フラグが存在しているので、再生専用フラグが第１の情報記録層４に設けられていても、再生専用フラグより記録可能フラグを優先し、第１の情報記録層４に情報を記録する。
【００４４】
上述したように、本実施の形態の光ディスク１は、ＢＤ−ＲＯＭに対応する第２の情報記録層８を有するとともに情報を記録することが可能である第１の情報記録層４を有し、第１の情報記録層４への情報の記録を可能とするが、第１の情報記録層４には再生専用フラグが存在しているので、従来のＤＶＤ記録再生装置には第１の情報記録層４への情報の記録を行わせない。従来のＤＶＤ記録再生装置は、第１の情報記録層４に記録される情報を再生するのみである。
【００４５】
また、本実施の形態の記録再生装置７０は、第２の情報記録層８に記録可能フラグが存在しているので、本実施の形態の光ディスク１の第１の情報記録層４に情報を記録することができる。例えば、本実施の形態の記録再生装置７０は、第１の情報記録層４にインターネットを介して得られるサービス情報を記録することができる。従来のＤＶＤ記録再生装置は、第１の情報記録層４に記録される情報を再生するのみであるので、第１の情報記録層４に記録されたサービス情報は、従来のＤＶＤ記録再生装置によって消去されることはない。また、従来のＤＶＤ記録再生装置がインターネットに接続していなくても、サービス情報は再生されるので、ユーザはサービス情報を視聴することができる。
【００４６】
したがって、本実施の形態の光ディスク１及び本実施の形態の記録再生装置７０により、ＢＤ−ＲＯＭに対応する第２の情報記録層８に記録されている映画等の情報に関連するサービス情報を第１の情報記録層４に記録することができるとともに、従来のＤＶＤ記録再生装置には第１の情報記録層４に記録される情報の再生のみを実行させたいとするユーザの要求が達せられる。
【００４７】
なお、従来のＤＶＤ記録再生装置は、従来のＤＶＤ記録装置をも含み、それらは、情報の記録を行おうとする情報記録層に再生専用フラグが存在していれば、その情報記録層には情報を記録せず、再生を行うのみである。
【００４８】
また、第１の情報記録層４は、ＤＶＤ規格に準拠した記録可能ディスクの情報記録層に限らず、ＢＤ規格に準拠した記録可能ディスクの情報記録層であってもよい。また、第２の情報記録層８は、ＢＤ−ＲＯＭの情報記録層に限らず、ＤＶＤ−ＲＯＭの情報記録層であってもよい。要するに、第１の情報記録層４が情報を記録することができる情報記録層であり、第２の情報記録層８が再生専用の情報記録層であればよい。いずれにしても、第１の情報記録層４は、第１の情報記録層４が再生専用の層であることを示す情報を有しており、第２の情報記録層８は、第１の情報記録層４が情報を記録することが可能であることを示す情報を有している。
【００４９】
また、本実施の形態の記録再生装置７０の記録部７３は、取得部７１によって取得された情報を、記録再生装置７０の不図示の記録領域に一旦記録した後、本実施の形態の光ディスク１の第１の情報記録層４に記録してもよい。
【００５０】
以下に、光ディスク１及びその製造方法の実施例を説明する。
【実施例１】
【００５１】
先ず、実施例１の光ディスクをその製造方法とともに説明する。
【００５２】
実施例１の光ディスクは、第１の情報記録層４と、第２の情報記録層８とを有する。それらの製造工程を順に説明し、それにより実施例１の光ディスク及びその製造方法を説明する。
【００５３】
最初に、第１の情報記録層４の製造工程を説明する。
【００５４】
先ず、厚み５ｍｍ、直径２００ｍｍのガラス原盤を超純水と酸化セリウムとを用いて研磨し、その後洗浄した。そして、ガラス原盤の上に、密着剤を介して、スピンコート法により、クレゾールノボラック樹脂及びベンゾフェノンエステルを含むフォトレジストを、ＤＶＤ用のレーザ光Ｌｒの波長の１／１５程度の厚みで均一に塗布した。フォトレジストはポジ型でもネガ型でも構わないが、実施例１ではポジ型のフォトレジストを使用した。
【００５５】
その後、フォトレジストが塗布されたガラス原盤をホットプレートにより６０℃から８０℃の温度でベーキングし、ガラス原盤に付着した有機溶媒を蒸発させた。ベーキングは恒温槽により行ってもよい。
【００５６】
次に、ＤＶＤ規格で決められた情報に変換されたプリアドレスに対応した凸状のグルーブが０．７４μｍのピッチでスパイラル状に後に形成されるように、レーザビームレコーダからのＵＶ領域以下の波長の光によりフォトレジストを露光し感光させた。その際、第１の情報記録層４がＤＶＤ−ＲＯＭであることを認識させるために、光ディスクの内周のディスクフォーマット情報が記録されるリードイン部のエンボス領域におけるPhysical format information zoneのByte Positions 0 のブックタイプのフラグが“ＤＶＤ−ＲＯＭ”を示すように、フォトレジストを露光し感光させた。なお、ブックタイプとは、メディアの種類を識別するための情報を示す。
【００５７】
そして、感光した部分をアルカリ現像液で除去し、第１のガラスマスタを得た。第１のガラスマスタの表面には、上記のプリアドレスに対応した凹状のグルーブと、上記の“ＤＶＤ−ＲＯＭ”を示すための凹状部とが形成された。
【００５８】
次に、第１のガラスマスタのフォトレジストの上に、スパッタリング法によりニッケル等の導電膜を形成し、更に、導電膜を電極としてニッケルをめっきした。これにより、フォトレジストに形成された凹状のグルーブ及び“ＤＶＤ−ＲＯＭ”を示すための凹状部の逆パターンである、プリアドレスに対応する凸状のグルーブ及び“ＤＶＤ−ＲＯＭ”を示すための凸状部が、めっきされたニッケル層に写し取られた。
【００５９】
次に、ニッケル層を第１のガラスマスタから剥離して第１のマスタスタンパとした。そして、第１のマスタスタンパに対して電解処理等を行って酸化物を剥離し、その後ニッケルをめっきし、第１のマスタスタンパに形成されたグルーブと逆形状の凹状のグルーブ及び“ＤＶＤ−ＲＯＭ”を示すための凹状部が形成された第１のマザースタンパを得た。
【００６０】
次に、第１のマザースタンパを金型に取り付けてポリカーボネート樹脂を射出成形し、図１及び図２に示す光ディスクの厚み０．６ｍｍの第１の基板２を得た。第１の基板２が得られた際、第１の基板２の表面には、ＤＶＤ−ＲＯＭ規格に準拠した凸状のグルーブ３が形成された。また、第１の基板２の表面の内周のディスクフォーマット情報が記録されるリードイン部のエンボス領域には、“ＤＶＤ−ＲＯＭ”を示す凸状の再生専用フラグが形成された。
【００６１】
次に、グルーブ３及び再生専用フラグが形成された第１の基板２の上に、反射膜４１、第１誘電体膜４２、相変化記録膜４３、及び第２誘電体膜４４を順次スパッタリングすることにより積層し、第１の情報記録層４を形成した。そして、日立ＣＰ製の初期化装置を用いて第１の情報記録層４を結晶化させた。第１の情報記録層４は、ＤＶＤ−ＲＷと同等の機能を有する。
【００６２】
なお、反射膜４１はＡｇを用いて形成し、その厚みを７０ｎｍとした。反射膜４１は、Ａｇを９５％以上含む合金を用いて形成することが好ましい。第１誘電体膜４２はＺｎＳ−ＳｉＯ２を用いて形成し、その厚みを１５ｎｍとした。相変化記録膜４３はカルコゲナイド系ＧｅＡｇＩｎＳｂＴｅを用いて形成し、その厚みを１５ｎｍとした。第２誘電体膜４４は、ＺｎＳ−ＳｉＯ２を用いて形成し、その厚みを７０ｎｍとした。
【００６３】
続いて、第２の情報記録層８の製造工程を説明する。
【００６４】
先ず、厚み５ｍｍ、直径２００ｍｍのガラス原盤を超純水と酸化セリウムとを用いて研磨し、その後洗浄した。そして、ガラス原盤の上に、密着剤を介して、スピンコート法により、クレゾールノボラック樹脂及びベンゾフェノンエステルを含むフォトレジストを、ＢＤ用のレーザ光Ｌｂの波長の１／６程度の厚みで均一に塗布した。フォトレジストはポジ型でもネガ型でも構わないが、実施例１ではポジ型のフォトレジストを使用した。
【００６５】
その後、フォトレジストが塗布されたガラス原盤をホットプレートにより６０℃から８０℃の温度でベーキングし、ガラス原盤に付着した有機溶媒を蒸発させた。ベーキングは恒温槽により行ってもよい。
【００６６】
次に、ＢＤ−ＲＯＭ規格で決められた１−７ＰＰ変調された情報を後に得るために、ベーキングされたガラス原盤の上のフォトレジストに、最短ピット長が０．１５μｍであるピットが０．３２μｍのピッチでスパイラル状に形成されるように、レーザビームレコーダからのＵＶ領域以下の波長の光によりフォトレジストを露光し感光させた。その際、第１の情報記録層４が情報を記録することができることを認識させるための記録可能フラグが後に第２の情報記録層８のリードイン部において得られるように、フォトレジストを露光し感光させた。
【００６７】
そして、感光した部分をアルカリ現像液で除去し、凹状のピット及び記録可能フラグに対応する凹状部が形成された第２のガラスマスタを得た。
【００６８】
次に、第２のガラスマスタのフォトレジストの上に、スパッタリング法によりニッケル等の導電膜を形成し、更に、導電膜を電極としてニッケルをめっきした。これにより、フォトレジストに形成された凹状のピットの逆パターンである凸状のウォブル等によるピットと、記録可能フラグに対応する凸状部とが、めっきされたニッケル層に写し取られた。
【００６９】
次に、ニッケル層を第２のガラスマスタから剥離して第２のマスタスタンパとした。そして、第２のマスタスタンパに対して電解処理等を行って酸化物を剥離し、その後、ニッケルをめっきし、第２のマスタスタンパに形成されたピット及び記録可能フラグに対応する部分と逆形状の凹状のピット及び記録可能フラグに対応する凹状部とが形成された第２のマザースタンパを得た。
【００７０】
そして、第２のマザースタンパに対してニッケルをめっきし、第２のマスタスタンパのピットと同形状で凸状のピットと、記録可能フラグに対応する凸状部とが形成された第２のベビースタンパを得た。
【００７１】
次に、第２のベビースタンパを金型に取り付けてポリカーボネート樹脂を射出成形し、厚みが０．４８ｍｍの第２の基板６を得た。第２の基板６が得られた際、第２の基板６の表面には、ＢＤ−ＲＯＭ規格に準拠したピットである凹状のピット列７が形成された。また、第２の基板６の表面には、凹状の記録可能フラグが形成された。なお、第２のベビースタンパの替わりに第２のマスタスタンパを用いても、第２の基板６を得ることができる。
【００７２】
第２の基板６の上に第２の情報記録層８を形成した。具体的には、チャンバーに第２の基板６を配置し、チャンバーにアルゴンガスと水素ガスとを供給してＳｉをスパッタリングすることにより、第２の基板６の上に１０ｎｍの厚みでＳｉと水素（Ｈ）との化合物を堆積させ、第２の情報記録層８を形成した。第２の情報記録層８の波長４０５ｎｍの光に対する反射率は１７％であり、波長６５０ｎｍの光の透過率は８８％であった。
【００７３】
なお、第２の情報記録層８は、次のようにして形成されてもよい。すなわち、第２の基板６の上に、Ｓｉ、ＳｉＯ２、ＳｉＮ、ＳｉＣ、ＴｉＯ２ 、又はＺｎＳ−ＳｉＯ２を用いて真空でスパッタリングを行うことにより第２の情報記録層８を形成してもよい。その際、波長４０５ｎｍの光に対する反射率が１２％以上になるとともに、波長４０５ｎｍの光の透過率が５０％以上になるように、第２の情報記録層８の厚みは設計される。
【００７４】
そして、第２の情報記録層８の上に、ＤＶＤ用のレーザ光Ｌｒ及びＢＤ用のレーザ光Ｌｂに対する透過率が８５％以上であるポリカーボネート樹脂等のシートと粘着材とで構成される保護層９を１００μｍの厚みで形成する。なお、ＤＶＤ用のレーザ光Ｌｒ及びＢＤ用のレーザ光Ｌｂに対する保護層９の透過率は、９０％以上であることが望ましい。
【００７５】
最後に、第１の情報記録層４が形成された第１の基板２と、第２の情報記録層８が形成された第２の基板６とを、図６に示すようにして貼り合せた。すなわち、第１の基板２の第１の情報記録層４が形成されている面と、第２の基板６の保護層９が貼りつけられていない面とが対向するようにして、第１の基板２と第２の基板６とを粘着シートを用いて貼り合せた。これにより、実施例１の光ディスクの製造を終了した。なお、図６は、本実施の形態の光ディスクの製造方法を説明するための図である。また、粘着シートは、後に接着層５となるものである。
【００７６】
第２の基板６、粘着シート、及び保護層９の厚みの合計は０．６ｍｍであることが望ましい。なぜなら、従来のＤＶＤ及びＢＤの厚みが１．２ｍｍであって、実施例１の光ディスクの厚みもそれらと同じ１．２ｍｍであることが望ましく、第１の基板２の厚みが０．６ｍｍであるからである。実施例１では、第２の基板６の厚みが０．４８ｍｍであり、保護層９の厚みが０．１ｍｍであるので、粘着シートの厚みを０．０２ｍｍとした。
【００７７】
なお、第１の情報記録層４の初期化装置による結晶化は、第１の基板２の上に第１の情報記録層４を形成した後、第１の基板２と第２の基板６とを貼り合せる前に行ってもよいが、第１の基板２と第２の基板６とを貼り合せた後に行ってもよい。
【００７８】
上述した方法により製造された実施例１の光ディスクでは、波長４０５ｎｍの光に対する第２の情報記録層８の反射率は１７％であった。また、波長６５０ｎｍの光に対する第１の情報記録層４の反射率は１９％であって、ＤＶＤ−ＲＷの反射率規格１８％から３０％を満足した。
【００７９】
レーザ光の波長が６５８ｎｍであり、対物レンズの開口数（ＮＡ）が０．６であるパルステック社製ＤＤＵ−１０００により、ＤＶＤの通常の記録速度の４倍にあたる記録速度の１４ｍ／ｓで、実施例１の光ディスクの第１の情報記録層４に２５ｍＷの記録パワーのレーザ光で情報を記録した後、０．７ｍＷの再生パワーのレーザ光で再生を行ったところ、７％のジッタが得られた。
【００８０】
また、第２の情報記録層８は、反射率以外はＢＤ−ＲＯＭ規格を満足しており、反射率はＤＶＤ−ＲＷ規格をクリアしているので、実施例１の光ディスクは、ＤＶＤ−ＲＷを再生することができる市販のＢＤ−ＲＯＭ再生装置によって正常に再生された。
【００８１】
更に、第１の情報記録層４及び第２の情報記録層８のリードインに記録されている各フラグの情報も問題なく読み取られた。
【実施例２】
【００８２】
次に、実施例２の光ディスクを図７用いて説明する。図７は、実施例２の光ディスクの断面図である。
【００８３】
実施例２の光ディスクの製造方法及びその構成は、実施例１の光ディスクのそれとほぼ同様であるが、いくつかの点で異なる。以下の説明では、実施例１との相違点を中心に説明する。
【００８４】
実施例２の光ディスクでは、第１の基板２のリードイン部のブックタイプがＤＶＤ−ＲＯＭである。
【００８５】
また、第１の情報記録層４は、次のようにして作成した。先ず、第１の基板２のグルーブ３が存在する面にスパッタリング法によりＡｇを成膜して反射層４５を形成した。次に、極大吸収波長が５８５ｎｍであるシアニン色素（林原生物化学研究所製：商品名Ｓ０６−ＤＸ００１）をテトラフルオロプロパノールに溶解し、１．０ｗｔ％の溶液にしてスピンコート法により反射層４５の上に塗布して記録層４６を形成した。引き続き、ＺｎＳ−ＳｉＯ２をスパッタリングして保護層４７を形成し、厚み３０ｎｍの第１の情報記録層４を作成した。
【００８６】
実施例２では、実施例１で行った第１の情報記録層４の結晶化工程は不要であったので行わなかった。
【００８７】
第２の情報記録層８のリードイン部のディスクインフォメーション部に、ＤＶＤ−Ｒである第１の情報記録層４が存在することを示すハイブリッド認識フラグを記録した。
【００８８】
実施例２の光ディスクでは、波長４０５ｎｍの光に対する第２の情報記録層８の反射率は１２％であった。また、波長６５０ｎｍの光に対する第１の情報記録層４の反射率は４７％であって、ＤＶＤ−ＲＯＭの反射率規格を満足した。
【００８９】
レーザ光の波長が６５８ｎｍであり、対物レンズの開口数（ＮＡ）が０．６であるパルステック社製ＤＤＵ−１０００により、ＤＶＤの通常の記録速度の４倍にあたる記録速度の１４ｍ／ｓで、実施例２の光ディスクの第１の情報記録層４に２０ｍＷの記録パワーのレーザ光で情報を記録した後、０．７ｍＷの再生パワーのレーザ光で再生を行ったところ、７％のジッタが得られた。
【００９０】
また、第２の情報記録層８はＢＤ−ＲＯＭ用規格を満足しており、市販のＢＤ−ＲＯＭ再生装置によって正常に再生された。
【００９１】
更に、第１の情報記録層４及び第２の情報記録層８のリードイン部に記録されている各フラグの情報も問題なく読み取られた。
【実施例３】
【００９２】
次に、実施例３の光ディスクを説明する。
【００９３】
実施例３の光ディスクの製造方法及びその構成は、実施例１の光ディスクのそれとほぼ同様であるが、いくつかの点で異なる。以下の説明では、実施例１との相違点を中心に説明する。
【００９４】
実施例３の光ディスクでは、従来のＤＶＤ記録装置による誤動作を避けるために、第１の基板２のプリアドレス情報を有するグルーブのウォブル周波数が、通常のＤＶＤ＋ＲＷの周波数８１７ＫＨｚと異なる４０８ＫＨｚである。また、第１の基板２のリードイン部のブックタイプをＤＶＤ＋ＲＷとした。
【００９５】
また、実施例３の光ディスクでは、第１の情報記録層４がＤＶＤ−ＲＯＭとして扱われるようにするために、ＤＶＤ＋ＲＷの論理として書き込み禁止とするためのファイナライズ処理を行った。つまり、データゾーンにおいて直径７０ｍｍまでの領域に１ＧＢ分のＥＣＣブロックにダミーデータを記録するとともに、第１の情報記録層４のリードアウト部にデータ“０”を記録した。また、第２の基板６の第２の情報記録層８にも、第１の情報記録層４への情報の記録を禁止する情報を記録した。
【００９６】
実施例３の光ディスクでは、波長４０５ｎｍの光に対する第２の情報記録層８の反射率は１３％であった。また、波長６５０ｎｍの光に対する第１の情報記録層４の反射率は１９％であって、ＤＶＤ＋ＲＷの反射率規格１８％から３０％を満足した。
【００９７】
レーザ光の波長が６５８ｎｍであり、対物レンズの開口数（ＮＡ）が０．６であるパルステック社製ＤＤＵ−１０００により、ＤＶＤの通常の記録速度の４倍にあたる記録速度の１４ｍ／ｓで、実施例３の光ディスクの第１の情報記録層４に２７ｍＷの記録パワーのレーザ光で情報を記録した後、０．７ｍＷの再生パワーのレーザ光で再生を行ったところ、７％のジッタが得られた。
【００９８】
また、実施例３の光ディスクは、ＤＶＤ＋ＲＷを再生することができる市販のＢＤ−ＲＯＭ再生装置によって正常に再生された。
【００９９】
更に、第１の情報記録層４及び第２の情報記録層８のリードイン部に記録されている各フラグの情報も問題なく読み取られた。
【０１００】
なお、第１の情報記録層４の初期化装置による結晶化は、第１の基板２の上に第１の情報記録層４を形成した後、第１の基板２と第２の基板６とを貼り合せる前に行った。
【０１０１】
また、第１の情報記録層４にインターネットからダウンロードすること等によって記録しようとするデータは、１ＧＢのダミーデータの上に重ね書きを行うことによって記録する。
【０１０２】
上述した実施例１、実施例２、及び実施例３の光ディスクの第２の情報記録層８に記録されているＨＤ品位の動画像と同じ内容のＳＤの動画像をインターネットよりダウンロードして第１の情報記録層４に記録することで、解像度が異なる同一のコンテンツが記録された光ディスクを容易に作製することが可能である。その光ディスクは、ＤＶＤ再生装置で再生することができる。また、インターネットよりダウンロードしたコンテンツ以外にも、ユーザがデータを第１の情報記録層４に追加することも可能である。更に、ユーザは、第１の情報記録層４のデータを更新することも可能である。
【符号の説明】
【０１０３】
１  光ディスク、  ２  第１の基板、  ３  グルーブ、  ４  第１の情報記録層、  ５  接着層、  ６  第２の基板、  ７  ピット列、  ８  第２の情報記録層、  ９  保護層、  ７０  記録再生装置、  ７１  取得部、  ７２  判断部、  ７３  記録部、  ７４  ＢＤ再生部、  ７５  ＤＶＤ再生部。
【図１】
2010250894.tif 000003
【図２】
2010250894.tif 000004
【図３】
2010250894.tif 000005
【図４】
2010250894.tif 000006
【図５】
2010250894.tif 000007
【図６】
2010250894.tif 000008
【図７】
2010250894.tif 000009